(57)【要約】【課題】表示する情報量に応じた液晶表示装置の大きさを設定して製造コストの上昇を抑制すると共に、アナログメータと液晶表示装置との組み合わせレイアウトの自由度を向上させて、文字盤部に発生する明暗ムラを抑制することにより、均質な照光を得ることができる車両用表示装置を提供する。【解決手段】拡散反射部材１５のＬＥＤ用開口部１５ｂ…の上部には、この端面１６ｈ，１６ｉと前記文字盤用ＬＥＤ２１との間に介在して、文字盤用ＬＥＤ２１からの照光を調整する照光調整手段としての遮蔽板部材２２が、この拡散反射部材１５と一体となるように設けられている。遮蔽板部材２２は、この文字盤用ＬＥＤ２１の上部を覆う平円板傘状形状を呈して、文字盤部１７ａへの直接の照光を防止する点光源化緩和部材としての機能を兼ねている。【選択図】  図１
2004217065.tif 000002
【特許請求の範囲】
【請求項１】
液晶表示を行う液晶表示ガラス部材が設けられた液晶表示装置と、該液晶表示装置に隣接して配置され、該液晶表示装置の表面側に、延長目盛り部を少なくとも一部重複させる目盛り部を設けた文字盤部を有するアナログ表示装置と、該文字盤部の裏面側に設けられて、前記文字盤部の表面側に透過光を照光する文字盤バックライト光源とを有し、前記液晶表示ガラス部材の端面のうち少なくとも一部が、正面視で前記文字盤部内に位置する車両用表示装置であって、
前記端面と前記文字盤バックライト光源との間に介在して、前記文字盤バックライト光源からの照光を調整する照光調整手段が設けられていることを特徴とする車両用表示装置。
【請求項２】
前記照光調整手段は、前記文字盤バックライト光源の上部を覆う遮蔽板部材であることを特徴とする請求項１記載の車両用表示装置。
【請求項３】
前記遮蔽板部材は、前記文字盤部への直接の照光を防止する点光源化緩和部材であることを特徴とする請求項２記載の車両用表示装置。
【請求項４】
前記遮蔽板部材は、前記文字盤バックライト光源の照光をガイドする拡散反射部材と一体に成形されて、前記文字盤バックライト光源の上部を覆う傘状形状を呈していることを特徴とする請求項２記載の車両用表示装置。
【請求項５】
前記遮蔽板部材には、周縁部から垂下された縦壁部が一体に設けられていることを特徴とする請求項２記載の車両用表示装置。
【請求項６】
前記照光調整手段は、前記液晶表示装置と、前記アナログ表示装置との間に設けられて、水平方向に長手方向を延設する横板部材であることを特徴とする請求項１記載の車両用表示装置。
【請求項７】
液晶表示を行う液晶表示ガラス部材が設けられた液晶表示装置と、該液晶表示装置に隣接して配置され、該液晶表示装置の表面側に、延長目盛り部を少なくとも一部重複させる目盛り部を設けた文字盤部を有するアナログ表示装置と、該文字盤部の裏面側に設けられて、前記文字盤部の表面側に透過光を照光する文字盤バックライト光源とを有し、前記液晶表示ガラス部材の端面のうち少なくとも一部が、正面視で前記文字盤部内に位置する車両用表示装置であって、
前記文字盤バックライト光源の周囲に設けられて、放射状に長手方向を延設することにより、前記文字盤バックライト光源からの照光を調整する支持板部材を有することを特徴とする車両用表示装置。
【請求項８】
液晶表示を行う液晶表示ガラス部材が設けられた液晶表示装置と、該液晶表示装置に隣接して配置され、該液晶表示装置の表面側に、延長目盛り部を少なくとも一部重複させる目盛り部を設けた文字盤部を有するアナログ表示装置と、該液晶表示ガラス部材の裏面側に設けられて、該液晶表示ガラス部材の表面側に透過光を照光する液晶バックライト光源とを有し、前記液晶表示ガラス部材の端面のうち少なくとも一部が、正面視で前記文字盤部内に位置する車両用表示装置であって、
前記端面と前記液晶バックライト光源との間に介在して、前記液晶バックライト光源からの照光を遮蔽する照光調整手段が設けられていることを特徴とする車両用表示装置。
【発明の詳細な説明】
【０００１】
【発明の属する技術分野】
この発明は、主に、自動二輪等、車両に搭載される車両用表示装置に関する。
【０００２】
【従来の技術】
従来、図２０に示すような車両に搭載される車両用表示装置が知られている（例えば、特許文献１参照）。
【０００３】
まず、構成から説明すると、このメータ１は、複数のメータを１つのクラスタ１ａ内に設けたコンビネーションメータで、車速等の測定値をアナログ表示するための指針３を有するアナログメータ部２が設けられている。
【０００４】
このアナログメータ部２の目盛り部４が設けられた文字盤部５には、略長方形の窓部５ａ，５ｂが形成されている。
【０００５】
そして、走行距離等の情報をデジタル表示する液晶表示装置６，７が、これらの窓部５ａ，５ｂ内側に埋設されている。
【０００６】
このように構成された従来のメータ１では、前記文字盤部５の裏面側に設けられた図示省略の文字盤バックライト光源が、この文字盤部５の表面側に向けて、前記目盛り部４の半透明の文字及びゲージを透過する透過光を照射する。
【０００７】
また、前記液晶表示装置６，７の裏面側に設けられた図示省略の液晶バックライト光源が、前記液晶表示装置のガラス部分を透過する透過光を照光することにより、このメータの照明が行われる。
【０００８】
【特許文献１】
特開平１１−２７１１００号公報（図２）
【０００９】
【発明が解決しようとする課題】
しかしながら、前記従来の車両用のメータ１では、図中二点鎖線で示すように、液晶表示装置７の表示領域を拡大して前記目盛り部４を跨ぐように水平方向に延長しようとすると、前記文字盤部５の裏面側に設けられた文字盤バックライト光源の照光が、例えば、図中「０」等の文字及び対応するゲージ部分周縁等に届かないといった問題があった。
【００１０】
また、前記液晶表示装置７の裏面側に設けられた液晶バックライト光源を用いて、この目盛り部４の前記「０」等の文字及び対応するゲージ部分を照明しようとすると、液晶表示装置７のガラス部分端面７ａを通過する照明光によって、前記文字盤部５及び液晶表示装置の表示面の図中一点鎖線で示される領域８に、他の部分よりも明るい部分や暗い部分が現れて、明暗ムラとなってしまうといった問題があった。
【００１１】
更に、図中破線で示す領域９略全面に、面積の大きな液晶表示装置を設けて、液晶表示装置の液晶バックライトのみを用いて、明暗のムラを無くすことも考えられるが、この場合、表示に用いない液晶表示装置の面積の割合が大きくなり、製造コストが、表示される情報量に比して増大してしまうといった問題があった。
【００１２】
そこで、本発明の目的は、表示する情報量に応じた液晶表示装置の大きさを設定して製造コストの上昇を抑制すると共に、アナログメータと液晶表示装置との組み合わせレイアウトの自由度を向上させて、文字盤部に発生する明暗ムラを抑制することにより、均質な照光を得ることができる車両用表示装置を提供することにある。
【００１３】
【課題を解決するための手段】
本発明は、かかる問題点に着目してなされたもので、請求項１に係る発明では、液晶表示を行う液晶表示ガラス部材が設けられた液晶表示装置と、該液晶表示装置に隣接して配置され、該液晶表示装置の表面側に、延長目盛り部を少なくとも一部重複させる目盛り部を設けた文字盤部を有するアナログ表示装置と、該文字盤部の裏面側に設けられて、前記文字盤部の表面側に透過光を照光する文字盤バックライト光源とを有し、前記液晶表示ガラス部材の端面のうち少なくとも一部が、正面視で前記文字盤部内に位置する車両用表示装置であって、前記端面と前記文字盤バックライト光源との間に介在して、前記文字盤バックライト光源からの照光を調整する照光調整手段が設けられている車両用表示装置を特徴としている。
【００１４】
このように構成された請求項１記載のものでは、前記照光調整手段が、前記端面と前記文字盤バックライト光源との間に介在して、前記文字盤バックライト光源からの照光を、直接、該端面に入射しないように調整する。
【００１５】
このため、前記端面に、入射する照光は、遮蔽されるか或いは、間接光となり、前記文字盤部に発生する明暗ムラが抑制されて、均質な照光を得ることが出来る。
【００１６】
従って、前記アナログメータと前記液晶表示装置との組み合わせレイアウトの自由度が向上し、また、表示する情報量に応じた液晶表示装置の大きさを設定して製造コストの上昇を抑制することができる。
【００１７】
また、請求項２に記載されたものでは、前記照光調整手段は、前記文字盤バックライト光源の上部を覆う遮蔽板部材である請求項１記載の車両用表示装置を特徴としている。
【００１８】
このように構成された請求項２記載のものでは、前記文字盤バックライト光源の上部を覆う遮蔽板部材が、前記端面と前記文字盤バックライト光源との間に介在して、前記文字盤バックライト光源からの照光を、直接、該端面に入射しないように遮蔽する。
【００１９】
このため、前記端面に、入射する照光は、遮られて間接光による照光が行われるため、前記文字盤部に発生する明暗ムラが抑制される。
【００２０】
更に、請求項３に記載されたものでは、前記遮蔽板部材は、前記文字盤部への直接の照光を防止する点光源化緩和部材である請求項２記載の車両用表示装置を特徴としている。
【００２１】
このように構成された請求項３記載のものでは、前記遮蔽板部材が、前記文字盤部への直接の照光を防止する点光源化緩和部材であるので、前記文字盤バックライト光源としてＬＥＤ又は電球等の点光源を用いても、前記文字盤部に間接光が照光される。
【００２２】
このため、更に外観品質が良好である。
【００２３】
また、請求項４に記載されたものでは、前記遮蔽板部材は、前記文字盤バックライト光源の照光をガイドする拡散反射部材と一体に成形されて、前記文字盤バックライト光源の上部を覆う傘状形状を呈している請求項２記載の車両用表示装置を特徴としている。
【００２４】
このように構成された請求項４記載のものでは、前記拡散反射部材と一体となるように、前記文字盤バックライト光源の上部を覆う傘状形状を呈して前記遮蔽板部材が、形成されている。
【００２５】
このため、前記拡散反射部材を成形する際に、同時に、該遮蔽板部材を形成出来、別途、別部材で調光手段を構成する必要がないので、部品点数の増大が抑制されて、この点においても製造コストの上昇が抑制される。
【００２６】
更に、請求項５に記載されたものでは、前記遮蔽板部材には、周縁部から垂下された縦壁部が一体に設けられている請求項２記載の車両用表示装置を特徴としている。
【００２７】
このように構成された請求項５記載のものでは、前記周縁部から垂下された縦壁部が、前記端面と前記文字盤バックライト光源との間に介在して、前記文字盤バックライト光源からの照光を調整する。
【００２８】
また、請求項６に記載されたものでは、前記照光調整手段は、前記液晶表示装置と、前記アナログ表示装置との間に設けられて、水平方向に長手方向を延設する横板部材である請求項１記載の車両用表示装置を特徴としている。
【００２９】
このように構成された請求項６記載のものでは、前記横板部材が、前記液晶表示装置と、前記アナログ表示装置との間に設けられて、水平方向に長手方向を延設することにより、前記端面と前記文字盤バックライト光源との間に介在して、前記文字盤バックライト光源からの照光を調整する。
【００３０】
そして、請求項７に記載されたものでは、液晶表示を行う液晶表示ガラス部材が設けられた液晶表示装置と、該液晶表示装置に隣接して配置され、該液晶表示装置の表面側に、延長目盛り部を少なくとも一部重複させる目盛り部を設けた文字盤部を有するアナログ表示装置と、該文字盤部の裏面側に設けられて、前記文字盤部の表面側に透過光を照光する文字盤バックライト光源とを有し、前記液晶表示ガラス部材の端面のうち少なくとも一部が、正面視で前記文字盤部内に位置する車両用表示装置であって、前記文字盤バックライト光源の周囲に設けられて、放射状に長手方向を延設することにより、前記文字盤バックライト光源からの照光を調整する支持板部材を有する車両用表示装置を特徴としている。
【００３１】
このように構成された請求項７記載のものでは、前記文字盤バックライト光源の周囲に設けられて、放射状に長手方向を延設する前記支持板部材によって、前記文字盤バックライト光源からの照光が調整される。
【００３２】
また、請求項８に記載されたものでは、液晶表示を行う液晶表示ガラス部材が設けられた液晶表示装置と、該液晶表示装置に隣接して配置され、該液晶表示装置の表面側に、延長目盛り部を少なくとも一部重複させる目盛り部を設けた文字盤部を有するアナログ表示装置と、該液晶表示ガラス部材の裏面側に設けられて、該液晶表示ガラス部材の表面側に透過光を照光する液晶バックライト光源とを有し、前記液晶表示ガラス部材の端面のうち少なくとも一部が、正面視で前記文字盤部内に位置する車両用表示装置であって、前記端面と前記液晶バックライト光源との間に介在して、前記液晶バックライト光源からの照光を遮蔽する照光調整手段が設けられている車両用表示装置を特徴としている。
【００３３】
このように構成された請求項８記載のものでは、前記照光調整手段が、前記端面と前記液晶バックライト光源との間に介在して、前記液晶バックライト光源からの照光を遮蔽する。
【００３４】
このため、前記液晶バックライト光源から入射する照光によって、前記端面で発生していた明暗ムラは、無くなり文字盤部の表面では、均一な照明光が得られる。
【００３５】
【発明の実施の形態１】
図１乃至図７は、この発明の実施の形態１の車両用表示装置を示すものである。
【００３６】
なお、前記従来例と同一乃至均等な部分については、同一符号を付して説明する。
【００３７】
まず、構成から説明すると、この実施の形態１の車両用表示装置では、二輪車等の車両に搭載されるメータ１０が、ハウジング１２及び窓開口部にガラスカバー１３ａが嵌設されてなるケース枠体１３によって構成された筐体１１と、この筐体１１内に収納される基板１４，拡散反射部材１５，液晶表示装置１６及び、この液晶表示装置１６の上側に隣接して設けられるアナログメータ１７等とを主に有して構成されている。
【００３８】
このうち、アナログメータ１７の文字盤部１７ａには、表面に目盛り部１７ｄが設けられている。この目盛り部１７ｄには、前記液晶表示装置１６の表面側に重複された延長目盛り部１７ｅが設けられている。
【００３９】
また、前記基板１４には、前記アナログメータ１７の指針１７ｂを動かすムーブメント１７ｃが設けられている。
【００４０】
更に、前記液晶表示装置１６には、図７に示すように、液晶表示を行う液晶文字列１６ａが、前，後側液晶表示ガラス部材１６ｂ，１６ｃによって挟持されると共に、これらの前，後側液晶表示ガラス部材１６ｂ，１６ｃの周縁の合わせ面がエポキシ樹脂によって封止されている。
【００４１】
この実施の形態１では、前，後側液晶表示ガラス部材１６ｂ，１６ｃを合わせた厚みを約２．２ｍｍとしている。
【００４２】
そして、これらの前，後側液晶表示ガラス部材１６ｂ，１６ｃの上縁部には、一部に前記文字盤部１７ａ内に位置するように、端面１６ｈ，１６ｉが形成されている。
【００４３】
また、前側液晶表示ガラス部材１６ｂの表面側には、一部に切欠部１６ｅを有する偏光板１６ｄが設けられている。この切欠部１６ｅは、前記文字盤部１７ａの目盛り部１７ｄのうち、前記液晶表示装置１６の表面側に少なくとも一部重複するように延設される延設目盛り部１７ｅの形状に沿わせて切り欠かれている。
【００４４】
この実施の形態１の延設目盛り部１７ｅは、図２に示すように、「０」「１」「２」等の文字と、この文字に対応するゲージ部分の表示が記載されている箇所である。
【００４５】
更に、後側液晶表示ガラス部材１６ｃの裏面側にも一部に切欠部１６ｇを有する偏光板１６ｆが設けられている。この切欠部１６ｇも、前記延設目盛り部１７ｅの形状に沿わせて切り欠かれている。
【００４６】
また、前記基板１４には、前記液晶表示装置１６の前記前，後側液晶表示ガラス部材１６ｂ，１６ｃを透過する透過光を照光する液晶バックライト光源としての液晶用ＬＥＤ２０…が、所定間隔を置いて、水平方向に沿って複数設けられている。
【００４７】
そして、前記拡散反射部材１５には、これらの液晶用ＬＥＤ２０…が、挿通されるＬＥＤ用開口部１５ａ…が、これらの液晶用ＬＥＤ２０…の取付位置に対応して、所定間隔を置いて、水平方向に沿って複数個、開口形成されている。
【００４８】
更に、前記偏光板１６ｆの裏面側には、第１拡散板１８が、間隔を設けることなく、密接されて貼設されている。この第１拡散板１８は、主に、透明なポリカーボネートシートによって構成されていて、前記液晶用ＬＥＤ２０に対応する部分を白色印刷によって着色すると共に、前記液晶用ＬＥＤ２０から離れた部分を透明として、この着色された部分と透明部分との中間部分には、必要に応じてグラディエーション印刷が施されている。
【００４９】
そして、この第１拡散板１８の裏面側には、図３に示すように、所定間隔Ｄをおいて第２拡散板１９が設けられている。
【００５０】
この第２拡散板１９は、図１に示すように、高さ方向寸法Ｈ２を、前記第１拡散板１８の高さ方向寸法Ｈ１に比して、小さく設定されることにより、前記第１拡散板１８よりも小さい面積を有して、略長方形形状を呈するように構成されている。
【００５１】
また、この第２拡散板１９は、主に、透明なポリカーボネートシートによって構成されていて、前記液晶用ＬＥＤ２０に対応する部分を白色印刷によって着色すると共に、前記液晶用ＬＥＤ２０から離れた部分を透明として、この着色された部分と透明部分との中間部分には、必要に応じてグラディエーション印刷が施されている。
【００５２】
そして、図３に示すように、この実施の形態１では、これらの第１拡散板１８の上部１８ａ及び第２拡散板１９の上部１９ａが、前記端面１６ｈ，１６ｉと、前記液晶用ＬＥＤ２０との間に位置して、この液晶用ＬＥＤ２０からの照光が、図中一点鎖線で示す方向から、前記端面１６ｈ，１６ｉ近傍の前，後側液晶表示ガラス部材１６ｂ，１６ｃに直接、入射しないように構成されている。
【００５３】
また、前記基板１４には、文字盤部１７ａの裏面側に設けられて、前記文字盤部１７ａの表面側に透過光を照射する文字盤バックライト光源としての文字盤用ＬＥＤ２１…が、前記指針１７ｂの回転中心から半径方向に略等距離となるように周上で所定間隔を置いて複数個、設けられている。
【００５４】
そして、前記拡散反射部材１５の裏面側には、これらの文字盤用ＬＥＤ２１…が、挿通されるＬＥＤ用開口部１５ｂ…が、これらの文字盤用ＬＥＤ２１…の取付位置に対応して、所定間隔を置いて、複数個、開口形成されている。
【００５５】
これらの前記前，後側液晶表示ガラス部材１６ｂ，１６ｃ、偏光板１６ｄ，１６ｆ、第１拡散板１８，及び第２拡散板１９が、液晶保持部材１６ｋに順次装着されると共に、前面部１６ｎに形成された左，右窓部１６ｏ，１６ｐから液晶表示が視認可能となるように、保持される。
【００５６】
そして、この液晶保持部材１６ｋに設けられた係止脚部１６ｍ…が、基板１４に係着されることにより、前記液晶表示装置１６が、前記基板１４の下辺部に沿って固定されるように構成されている。
【００５７】
また、この実施の形態１の前記液晶保持部材１６ｋには、前記左窓部１６ｏ及び右窓部１６ｐの間に、光導通凹部１６ｑが設けられていて、前記液晶用ＬＥＤ２０の照光を、この光導通凹部１６ｑを介して、前記延設目盛り部１７ｅ裏面側まで、導くように開口形成されている。
【００５８】
更に、この実施の形態１では、前記液晶保持部材１６ｋの上面部には、この光導通凹部１６ｑと連設される上側開口部１６ｓが形成されている。
【００５９】
この上側開口部１６ｓからは、前記前，後側液晶表示ガラス部材１６ｂ，１６ｃの端面１６ｈ，１６ｉが、正面視で、前記文字盤部１７ａ内に位置するように、前記アナログメータ１７内空間に露出されている。
【００６０】
そして、前記拡散反射部材１５のＬＥＤ用開口部１５ｂ…の上部には、この端面１６ｈ，１６ｉと前記文字盤用ＬＥＤ２１との間に介在して、前記文字盤用ＬＥＤ２１からの照光を調整する照光調整手段としての遮蔽板部材２２が、この拡散反射部材１５と一体となるように設けられている。
【００６１】
この実施の形態１の遮蔽板部材２２は、前記拡散反射部材１５の背面側に開口形成されたＬＥＤ用開口部１５ｂに対応するように設けられている。
【００６２】
また、この遮蔽板部材２２は、この拡散反射部材１５の背面側に開口形成されたＬＥＤ用開口部１５ｂの上部に位置し、図３に示すように、組み付け状態で、文字盤部１７ａ方向に、前記基板１４から一定高さｈ１を有するように形成されている。
【００６３】
更に、この実施の形態１では、前記ＬＥＤ用開口部１５ｂ内に前記文字盤用ＬＥＤ２１が、挿入された組み付け状態で、前記遮蔽板部材２２が、この文字盤用ＬＥＤ２１の上部を覆う平円板傘状形状を呈して、前記文字盤部１７ａへの直接の照光を防止する点光源化緩和部材としての機能を兼ねている。
【００６４】
そして、前記基板１４を前記拡散反射部材１５に装着した状態では、前記ＬＥＤ用開口部１５ｂ内に挿入された各文字盤用ＬＥＤ２１…の上部を、これらの遮蔽板部材２２…が、各々覆うように構成されている。
【００６５】
この実施の形態１では、図３に示すように、この遮蔽板部材２２の下縁部２２ａが、前記端面１６ｈ，１６ｉと、前記文字盤用ＬＥＤ２１との間に位置して、この文字盤用ＬＥＤ２１からの照光が、図中二点鎖線で示す方向から、前記端面１６ｈ，１６ｉを介して前記前，後側液晶表示ガラス部材１６ｂ，１６ｃ内に直接、入射しないように構成されている。
【００６６】
次に、この実施の形態１の車両用表示装置の作用について説明する。
【００６７】
例えば、図１８に示すように、前記液晶用ＬＥＤ２０からの照光が、前記端面１６ｈ，１６ｉで反射及び屈折されることにより、前記文字盤部１７ａでは、領域Ａを普通とすると、領域Ｂは明るく、領域Ｃは普通、領域Ｄは暗くなると共に、領域Ｅは普通といった輝度勾配を有する。
【００６８】
このような明度のムラは、図１７に示すように、ガラス内から空気中に入射する光の臨海角度は、図１６に示す空気中からガラスに入射する光の場合と比して、比較的浅い角度で全反射を開始することから、領域Ｄに向かう照光が、略全反射して、領域Ｂの輝度を約２倍となると共に、領域Ｄでは、約０となることに基づいている。ここで、ガラスの屈折率を１．５としている。
【００６９】
また、図１９に示すように、文字盤用ＬＥＤ２１からの照光は、前記端面１６ｈ，１６ｉ近傍で、反射及び屈折されることにより、前記文字盤部１７ａでは、領域Ａを普通とすると、領域Ｂは暗く、領域Ｃは普通といった輝度勾配を有する。
【００７０】
すなわち、前記端面１６ｈ，１６ｉから入光すると、前記前，後側液晶表示ガラス部材１６ｂ，１６ｃの表裏面で全反射して前記文字盤部１７ａには、到達しない。この領域Ｂの幅は、板厚ｔ＝２．２ｍｍであるので、略同幅と考えられて狭くなる。
【００７１】
この実施の形態１では、図３に示すように、前記遮蔽板部２２の下縁部２２ａが、前記端面１６ｈ，１６ｉと前記文字盤用ＬＥＤ２１との間に介在して、前記文字盤用ＬＥＤ２１からの照光が、直接、これらの端面１６ｈ，１６ｉに入射しない。
【００７２】
このため、前記端面１６ｈ，１６ｉに、入射する照光は、この下縁部２２ａによって、遮蔽されるか或いは、他の部分によって一旦反射された間接光となり、前，後側液晶表示ガラス部材１６ｂ，１６ｃを通過して、反射或いは屈折されてから前記文字盤部１７ａの裏面側に到達する光量が減少する。従って、前記文字盤部１７ａに発生する明暗ムラが抑制されて、均質な照光を得ることが出来る。
【００７３】
従って、前記アナログメータ１７と前記液晶表示装置１６との組み合わせレイアウトの自由度が向上し、また、表示する情報量に応じた液晶表示装置１６の大きさを設定出来、従来のように、必要とされる部分に比して大きな面積の液晶表示装置を必要としない。このため、液晶表示装置１６の大きさを減少させることが出来、製造コストの上昇を抑制することができる。
【００７４】
更に、前記遮蔽板部材２２が、前記文字盤部１７ａへの直接の照光を防止する点光源化緩和部材でもあるので、前記文字盤用の光源として文字盤用ＬＥＤ２１又は電球等の点光源を用いても、前記文字盤部１７ａに間接光が照光される。
【００７５】
このため、文字盤部１７ａでは、面状に略均一なバックライト照明が得られ、更に外観品質が良好である。
【００７６】
また、前記拡散反射部材１５と一体となるように、前記文字盤用ＬＥＤの上部を覆う平円板傘状形状を呈した前記遮蔽板部材２２が、この拡散反射部材１５の背面側に開口形成されたＬＥＤ用開口部１５ｂの上部で、文字盤部１７ａ方向に、前記基板１４から一定高さｈ１を有するように形成されている。
【００７７】
このため、前記ＬＥＤ用開口部１５ｂが開放されていて、例えば、拡散反射部材１５の面内外方向への型抜きが容易に行える。従って、前記拡散反射部材１５を成形する際に、同時に、この遮蔽板部材２２を形成出来、別途、別部材で調光手段を構成する必要がないので、部品点数の増大が抑制されて、この点においても製造コストの上昇が抑制される。
【００７８】
また、この実施の形態１では、前記前，後側液晶表示ガラス部材１６ｂ，１６ｃ内に入射された照光は、前記遮蔽板部材２２によって、遮蔽されて前記文字盤用ＬＥＤ２１からの直接の照光が無い。
【００７９】
このために、他の部分で反射された間接光と、２枚の第１拡散板１８及び第２拡散板１９によって散乱された液晶用ＬＥＤ２０の照光のみが、前記前，後側液晶表示ガラス部材１６ｂ，１６ｃ内に入射する。
【００８０】
このため、前記液晶表示装置１６では、均質なバックライト照光が得られて、前記液晶文字列１６ａの視認性が良好である。
【００８１】
また、前記アナログメータ１７では、文字盤部１７ａの裏面側に設けられた前記文字盤用ＬＥＤ２１…が、前記文字盤部１７ａを裏面側から照光して、文字盤部１７ａのバックライト照明となる。
【００８２】
この際、前記文字盤用ＬＥＤ２１…の上部に設けられた前記遮蔽板部材２２，２２によって、直接、文字盤部１７ａの裏面側に到達することが無く、照光が他の部分で反射されて間接光となってから、前記文字盤部１７ａの裏面側に到達する。
【００８３】
従って、前記文字盤部１７ａでも均質なバックライト照光が得られて、前記前，後側液晶表示ガラス部材１６ｂ，１６ｃの端面１６ｈ，１６ｉが、正面視で前記文字盤部１７ａ内（図２中、数字「２」と「３」との間）に位置しても、液晶表示装置１６と、アナログメータ１７との境界部分の前記目盛り部１７ｄ，延設目盛り部１７ｅ及びこれらの目盛り部１７ｄ等の近傍の文字盤部１７ａに到達する照光は、均一化されて明暗のムラの発生が抑制される。
【００８４】
従って、アナログメータ１７に隣接させて液晶表示装置１６を配置しなければならない等、限られたスペースに、複数のメータ表示部を設ける場合でも、表示する情報量に応じた液晶表示装置１６の大きさで車両用表示装置を構成出来るため、製造コストの上昇を抑制することが出来る。
【００８５】
更に、この実施の形態１では、液晶表示装置１６の表示領域を水平方向に拡大して前記延長目盛り部１７ｅを跨ぐように一つの液晶表示装置１６で表示できるので、延長目盛り部１７ｅの上，下にも、液晶文字列１６ａ，１６ａを配置出来る。このため、液晶表示装置１６の数量を増大させることなく、製造コストの上昇が抑制されると共に、レイアウトの自由度が向上する。
【００８６】
また、この実施の形態１では、前記第１拡散板１８及びこの第１拡散板１８の高さ方向寸法Ｈ１に比して、小さく設定される高さ方向寸法Ｈ２を有し、前記第２拡散板１９が、前記第１拡散板１８よりも小さい面積を有する略長方形形状を呈するように構成されていて、前記液晶保持部材１６ｋに順次装着される際の組み付け性が、拡散部として凸形状等を有するものに比して良好である。
【００８７】
しかも、前記第１拡散板１８の裏面側に、所定間隔Ｄをおいて第２拡散板１９が設けられているので、前記第２拡散板１９が、前記第１拡散板１８よりも小さい面積であっても、前記液晶用ＬＥＤ２０からの照光を拡散させることができる。
【００８８】
この点においても、前記第２拡散板１９を撓ませて、前記液晶保持部材１６ｋに装着する必要が減少して、形状を変形させる虞が減少すると共に、前記第２拡散板１９の組み付け性を良好なものとする事が出来る。
【００８９】
【実施の形態２】
図８及び図９は、この発明の実施の形態２の車両用表示装置を示すものである。なお、前記実施の形態１と同一乃至均等な部分については、同一符号を付して説明する。
【００９０】
まず、構成を説明すると、この実施の形態２の車両用表示装置としてのメータ１１０では、液晶表示装置１６の液晶バックライト光源としての液晶用ＬＥＤ２０…のうち、前記延設目盛り部１７ｅの裏面側に位置する液晶用ＬＥＤ２０が省略されている。
【００９１】
また、前記端面１６ｈ，１６ｉに近接して配置される文字盤用ＬＥＤ２１では、上部を覆う照光調整手段としての遮蔽板部材２２が、この文字盤用ＬＥＤ２１の周囲に設けられて、放射状に長手方向を延設することにより、前記文字盤用ＬＥＤ２１からの照光を調整する３枚の支持板部材２２ｃ…によって、前記拡散反射部材１５と一体となるように支持されている。
【００９２】
これらの支持板部材２２ｃ，２２ｃ間の角度αは、均等に配置された場合には、正面視で、１２０度ずつとなる（図９中二点鎖線で示す位置）が、この実施の形態１では、前記端面１６ｈ，１６ｉに最も近接した支持板部材２２ｃを図９中、白抜き矢印に示すように、目盛り部１７ｄ方向に移動させて設定して、支持板部材２２ｃ，２２ｃ間の角度αを約１６０〜１７０度としている。
【００９３】
更に、この実施の形態２では、前記端面１６ｈ，１６ｉから離間した支持板部材２２ｃを図９中、白抜き矢印に示すように、目盛り部１７ｄ方向に移動させて設定して、支持板部材２２ｃ，２２ｃ間の角度βを約１６０〜１７０度としている。
【００９４】
次に、この実施の形態２の作用効果について説明する。
【００９５】
この実施の形態２では、前記遮蔽板部材２２を支持する支持板部材２２ｃ，２２ｃが、前記文字盤用ＬＥＤ２１の周囲に設けられて、放射状に長手方向を延設している。
【００９６】
この実施の形態１では、前記支持板部材２２ｃ，２２ｃ間の角度αが、約１６０〜１７０度と通常の均等に配置される角度α＝１２０度よりも大きく設定されることにより、反射される光量が調整されて、前記端面１６ｈ，１６ｉに入射する照光が調整される。
【００９７】
また、前記延設目盛り部１７ｅの左，右に位置する液晶用ＬＥＤ２０，２０によって、延設目盛り部１７ｅは、裏面側から照光される。このため、前記液晶用ＬＥＤ２０…のうち、前記延設目盛り部１７ｅの裏面側に位置する液晶用ＬＥＤ２０が省略されていても、前記延設目盛り部１７ｅのバックライト光量を充分に確保することができる。
【００９８】
他の構成、及び作用効果については、前記実施の形態１と同一乃至均等であるので説明を省略する。
【００９９】
【実施の形態３】
図１０及び図１１は、この発明の実施の形態３の車両用表示装置を示すものである。なお、前記実施の形態１，２と同一乃至均等な部分については、同一符号を付して説明する。
【０１００】
まず、構成を説明すると、この実施の形態３の車両用表示装置としてのメータ２１０では、前記文字盤用ＬＥＤ２１の上部を覆う照光調整手段としての遮蔽板部材２２２には、前記端面１６ｈ，１６ｉに近接した周縁部２２２ａから縦壁部２２２ｂが、一体となるように垂下されて設けられている。
【０１０１】
次に、この実施の形態３の作用効果について説明する。
【０１０２】
この実施の形態３では、前記実施の形態１，２の作用効果に加えて、更に、前記遮蔽板部材２２２の周縁部２２２ａから垂下された縦壁部２２２ｂが、前記端面１６ｉ，１６ｈと前記文字盤用ＬＥＤ２１との間に介在して、前記文字盤用ＬＥＤ２１からの照光を調整する。
【０１０３】
他の構成、及び作用効果については、前記実施の形態１，２と同一乃至均等であるので説明を省略する。
【０１０４】
【実施の形態４】
図１２は、この発明の実施の形態４の車両用表示装置を示すものである。なお、前記実施の形態１乃至３と同一乃至均等な部分については、同一符号を付して説明する。
【０１０５】
まず、構成を説明すると、この実施の形態４の車両用表示装置としてのメータ３１０では、前記文字盤用ＬＥＤ２１の上部を覆う照光調整手段としての遮蔽板部材３２２には、前記端面１６ｈ，１６ｉに近接した周縁部３２２ａに、左，右一対の角隅部３２２ｂ，３２２ｂが、一体となるように延設されていて、前記端面１６ｈ，１６ｉに近接した周縁部３２２ａの正面視形状を略方形としている。
【０１０６】
次に、この実施の形態４の作用効果について説明する。
【０１０７】
この実施の形態４では、前記端面１６ｈ，１６ｉに近接した周縁部３２２ａに、左，右一対の角隅部３２２ｂ，３２２ｂが、一体となるように延設されて、この略方形の周縁部３２２ａが、前記端面１６ｉ，１６ｈと前記文字盤用ＬＥＤ２１との間に介在して、前記文字盤用ＬＥＤ２１からの照光を調整する。
【０１０８】
他の構成、及び作用効果については、前記実施の形態１乃至３と同一乃至均等であるので説明を省略する。
【０１０９】
【実施の形態５】
図１３乃至図１４は、この発明の実施の形態５の車両用表示装置を示すものである。なお、前記実施の形態１乃至４と同一乃至均等な部分については、同一符号を付して説明する。
【０１１０】
まず、構成を説明すると、この実施の形態５の車両用表示装置としてのメータ４１０では、前記拡散反射部材１５のうち、前記液晶表示装置１６が配設される部分と、アナログメータ１７が配設される部分との間に位置して境界を構成する前記端面１６ｈ，１６ｉの裏面側に、この拡散反射部材１５と一体となるように、水平方向に長手方向を延設する横板部材１５ｃが設けられていて、前記端面１６ｈ，１６ｉと前記文字盤用ＬＥＤ２１との間に介在して、前記文字盤用ＬＥＤ２１からの照光を調整するように構成されている。
【０１１１】
次に、この実施の形態４の作用効果について説明する。
【０１１２】
この実施の形態５では、前記端面１６ｈ，１６ｉに近接した前記拡散反射部材１５の一部に前記横板部材１５ｃが、一体となるように設けられていて、前記端面１６ｉ，１６ｈと前記文字盤用ＬＥＤ２１との間に介在して、前記文字盤用ＬＥＤ２１からの照光を調整する。
【０１１３】
また、この実施の形態５では、前記実施の形態１乃至４の車両用表示装置で用いられていた遮蔽板部材２２が、省略できる。
【０１１４】
他の構成、及び作用効果については、前記実施の形態１乃至４と同一乃至均等であるので説明を省略する。
【０１１５】
【実施の形態６】
図１５は、この発明の実施の形態６の車両用表示装置を示すものである。なお、前記実施の形態１乃至５と同一乃至均等な部分については、同一符号を付して説明する。
【０１１６】
まず、構成を説明すると、この実施の形態６の車両用表示装置としてのメータ５１０では、前記拡散反射部材１５の液晶表示装置１６が、装着される部分には、前記液晶用ＬＥＤ２０，２０よりも前記前，後側液晶表示ガラス部材１６ｂ，１６ｃに位置して、前記端面１６ｈ，１６ｉと前記液晶用ＬＥＤ２０，２０との間に介在して、前記液晶用ＬＥＤ２０，２０からの照光を遮蔽する照光調整手段としての曲面縦壁部１５ｄ，１５ｅが、この拡散反射部材１５と一体となるように設けられている。
【０１１７】
次に、この実施の形態６の作用について説明する。
【０１１８】
この実施の形態６では、前記曲面縦壁部１５ｄ，１５ｅが、前記端面１６ｈ，１６ｉと前記液晶用ＬＥＤ２０，２０との間に介在して、前記液晶用ＬＥＤ２０，２０からの照光を遮蔽する。
【０１１９】
このため、前記液晶用ＬＥＤ２０，２０から入射する照光によって、前記端面１６ｈ，１６ｉで発生する虞のある明暗ムラは、無くなり文字盤部１７ａの表面では、均一な照明光が得られる。
【０１２０】
他の構成、及び作用効果については、前記実施の形態１乃至５と同一乃至均等であるので説明を省略する。
【０１２１】
以上、図面を参照して、本発明の実施の形態１の車両用表示装置を詳述してきたが、具体的な構成は、これらの実施の形態１に限らず、本発明の要旨を逸脱しない程度の設計的変更は、本発明に含まれる。
【０１２２】
例えば、前記実施の形態１では、液晶バックライト光源として液晶用ＬＥＤ２０…を、前記文字盤バックライト光源として文字盤用ＬＥＤ２１…を用いるものを示して説明してきたが、特にこれに限らず、例えば、電球や蛍光灯、或いはこれらとＬＥＤとの組み合わせによって構成される光源であってもよい。
【０１２３】
【発明の効果】
上述してきたように、請求項１記載のものでは、前記照光調整手段が、前記端面と前記文字盤バックライト光源との間に介在して、前記文字盤バックライト光源からの照光を、直接、該端面に入射しないように調整する。
【０１２４】
このため、前記端面に、入射する照光は、遮蔽されるか或いは、間接光となり、前記文字盤部に発生する明暗ムラが抑制されて、均質な照光を得ることが出来る。
【０１２５】
従って、前記アナログメータと前記液晶表示装置との組み合わせレイアウトの自由度が向上し、また、表示する情報量に応じた液晶表示装置の大きさを設定して製造コストの上昇を抑制することができる。
【０１２６】
また、請求項２に記載されたものでは、前記文字盤バックライト光源の上部を覆う遮蔽板部材が、前記端面と前記文字盤バックライト光源との間に介在して、前記文字盤バックライト光源からの照光を、直接、該端面に入射しないように遮蔽する。
【０１２７】
このため、前記端面に、入射する照光は、遮られて間接光による照光が行われるため、前記文字盤部に発生する明暗ムラが抑制される。
【０１２８】
更に、請求項３に記載されたものでは、前記遮蔽板部材が、前記文字盤部への直接の照光を防止する点光源化緩和部材であるので、前記文字盤バックライト光源としてＬＥＤ又は電球等の点光源を用いても、前記文字盤部に間接光が照光される。
【０１２９】
このため、更に外観品質が良好である。
【０１３０】
また、請求項４に記載されたものでは、前記拡散反射部材と一体となるように、前記文字盤バックライト光源の上部を覆う傘状形状を呈して前記遮蔽板部材が、形成されている。
【０１３１】
このため、前記拡散反射部材を成形する際に、同時に、該遮蔽板部材を形成出来、別途、別部材で調光手段を構成する必要がないので、部品点数の増大が抑制されて、この点においても製造コストの上昇が抑制される。
【０１３２】
更に、請求項５に記載されたものでは、前記周縁部から垂下された縦壁部が、前記端面と前記文字盤バックライト光源との間に介在して、前記文字盤バックライト光源からの照光を調整する。
【０１３３】
また、請求項６に記載されたものでは、前記横板部材が、前記液晶表示装置と、前記アナログ表示装置との間に設けられて、水平方向に長手方向を延設することにより、前記端面と前記文字盤バックライト光源との間に介在して、前記文字盤バックライト光源からの照光を調整する。
【０１３４】
そして、請求項７に記載されたものでは、前記文字盤バックライト光源の周囲に設けられて、放射状に長手方向を延設する前記支持板部材によって、前記文字盤バックライト光源からの照光が調整される。
【０１３５】
また、請求項８に記載されたものでは、前記照光調整手段が、前記端面と前記液晶バックライト光源との間に介在して、前記液晶バックライト光源からの照光を遮蔽する。
【０１３６】
このため、前記液晶バックライト光源から入射する照光によって、前記端面で発生していた明暗ムラは、無くなり文字盤部の表面では、均一な照明光が得られる、という実用上有益な効果を発揮する。
【図面の簡単な説明】
【図１】本発明の実施の形態１の車両用表示装置で、全体の構成を説明する分解斜視図である。
【図２】実施の形態１の車両用表示装置で、メータの正面図である。
【図３】実施の形態１の車両用表示装置で、図２中Ａ−Ａ線に沿った位置での断面図である。
【図４】実施の形態１の車両用表示装置で、拡散反射部材に、液晶表示装置の液晶保持部材を仮組みした状態での斜視図である。
【図５】実施の形態１の車両用表示装置で、メータの要部の正面図である。
【図６】実施の形態１の車両用表示装置で、液晶文字列が封止された前，後側液晶表示ガラス部材と、第１，第２拡散部材とを液晶保持部材に組み付ける様子を説明する分解斜視図である。
【図７】実施の形態１の車両用表示装置で、液晶文字列を封止する前，後側液晶表示ガラス部材の分解斜視図である。
【図８】本発明の実施の形態２の車両用表示装置で、全体の構成を説明する一部透過斜視図である。
【図９】実施の形態２の車両用表示装置で、メータの一部透過正面図である。
【図１０】本発明の実施の形態３の車両用表示装置で、拡散反射部材の斜視図である。
【図１１】実施の形態３の車両用表示装置で、要部の拡大斜視図である。
【図１２】本発明の実施の形態４の車両用表示装置で、拡散反射部材の斜視図である。
【図１３】本発明の実施の形態５の車両用表示装置で、拡散反射部材の斜視図である。
【図１４】本発明の実施の形態５の車両用表示装置で、拡散反射部材の要部の拡大斜視図である。
【図１５】本発明の実施の形態６の車両用表示装置で、拡散反射部材の斜視図である。
【図１６】空気中からガラスに入射する光の入射角度と反射率との関係の一例を、相互に９０度異なる偏光Ｒｓ、Ｒｐでプロットして説明するグラフ図である。
【図１７】ガラス内から空気中に入射する光の入射角度と反射率との関係の一例を、相互に９０度異なる偏光Ｒｓ、Ｒｐでプロットして説明するグラフ図である。
【図１８】液晶用ＬＥＤを光源とした場合の文字盤表面の明暗ムラの発生を説明する模式図である。
【図１９】文字盤用ＬＥＤを光源とした場合の文字盤表面の明暗ムラの発生を説明する模式図である。
【図２０】従来例の車両用表示装置で、全体の構成を説明する正面図である。
【符号の説明】
１０              メータ（車両用表示装置）
１５              拡散反射部材
１６              液晶表示装置
１６ｈ，１６ｉ    端面
１７              アナログメータ
１７ａ            文字盤部（メータ目盛り表示部）
１７ｄ            目盛り部
１７ｅ            延設目盛り部
２０              液晶用ＬＥＤ（液晶バックライト光源）
２１              文字盤用ＬＥＤ（文字盤バックライト光源）
照光調整手段
２２，２２２，３２２      遮蔽板部材
２２２ａ                  周縁部
２２２ｂ                  縦壁部
１５ｃ                    横板部材
１５ｄ，１５ｅ            曲面縦壁部
【図１】
2004217065.tif 000003
【図２】
2004217065.tif 000004
【図３】
2004217065.tif 000005
【図４】
2004217065.tif 000006
【図５】
2004217065.tif 000007
【図６】
2004217065.tif 000008
【図７】
2004217065.tif 000009
【図８】
2004217065.tif 000010
【図９】
2004217065.tif 000011
【図１０】
2004217065.tif 000012
【図１１】
2004217065.tif 000013
【図１２】
2004217065.tif 000014
【図１３】
2004217065.tif 000015
【図１４】
2004217065.tif 000016
【図１５】
2004217065.tif 000017
【図１６】
2004217065.tif 000018
【図１７】
2004217065.tif 000019
【図１８】
2004217065.tif 000020
【図１９】
2004217065.tif 000021
【図２０】
2004217065.tif 000022